【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
色サブピクセルを含む画素（ピクセル）を有するディスプレイ用データの処理方法であって、
第１のサブピクセルフォーマットの画素（ピクセル）データを受け取り、
前記画素（ピクセル）データからサブピクセルレンダリングデータへの変換処理にガンマ調整を加え、前記変換処理は前記第１のサブピクセルフォーマットと異なる第２のサブピクセルフォーマットのためのサブピクセルレンダリングデータを生成し、
前記第２のサブピクセルフォーマットを実質的に有するディスプレイのために前記サブピクセルレンダリングデータを出力することを特徴とする方法。
【請求項２】
前記ガンマ調整の適用は、前記サブピクセルレンダリングデータの色バランスにおける直線性が提供されるようにしたことを特徴とする、請求項１記載の方法。
【請求項３】
前記ガンマ調整の適用は、更に、前記サブピクセルレンダリングデータに関係する輝度の非線形計算を行うものであることを特徴とする、請求項２記載の方法。
【請求項４】
前記ガンマ調整の適用は、
ガンマ補正されたデータを生成するために、前記画素（ピクセル）データのガンマ補正を行い、
前記ガンマ補正されたデータを前記サブピクセルレンダリングデータに変換することを含むことを特徴とする、請求項１記載の方法。
【請求項５】
前記ガンマ補正をｇ−１（ｘ）＝ｘγの関数として行うことを特徴とする、請求項４記載の方法。
【請求項６】
前記ガンマ調整用のガンマ値を、すべての空間周波数に対して選択されたレベルに維持し、前記選択されたレベルは、ある１つの空間周波数における１つの所望のコントラスト比に対応するようにしたことを特徴とする、請求項１記載の方法。
【請求項７】
前記ガンマ調整の適用は、前記画素（ピクセル）データに基づいて局所平均を計算することを含むことを特徴とする、請求項１記載の方法。
【請求項８】
前記ガンマ調整の適用は、ガンマ補正された局所平均を生成するために前記局所平均のガンマ補正を行い、前記画素データを乗算した前記ガンマ補正された局所平均を、前記サブピクセルレンダリングデータに変換することをさらに含むことを特徴とする請求項７記載の方法。
【請求項９】
前記ガンマ補正をｇ−１（ｘ）＝ｘγ−１の関数として行うことを特徴とする、請求項８記載の方法。
【請求項１０】
前記ガンマ調整用のガンマ値を、空間周波数の増加につれて増加するように選択することを特徴とする、請求項１記載の方法。
【請求項１１】
前記ガンマ調整の適用は、
オメガ補正されたデータを生成するために、前記画素データのオメガ補正を行、前記オメガ補正されたデータに基づいて、オメガ補正された局所平均を計算することを含むことを特徴とする、請求項１記載の方法。
【請求項１２】
前記オメガ補正をｗ（ｘ）＝ｘ１／ｗの関数として行うことを特徴とする、請求項１１記載の方法。
【請求項１３】
前記ガンマ調整の適用は、
オメガ付きガンマ補正された局所平均を出すために、オメガ補正された局所平均のガンマ補正を行い、前記画素データを乗算したオメガ付きガンマ補正された局所平均を、前記サブピクセルレンダリングデータに変換することを含むことを特徴とする、請求項１１記載の方法。
【請求項１４】
前記ガンマ補正をｇ−１ｗ−１（ｘ）＝（ｘｗ）γ−１の関数として行うことを特徴とする、請求項１３記載の方法。
【請求項１５】
３色サブピクセル要素を使用して、サブピクセルレンダリングデータを表示できるディスプレイのための画像のサンプル・データを変換する方法であって、
複数の第１のデータ値を含むサンプル・データを受け取り、各々の前記第１のデータ値は前記画像における各色の各データ点を表わし、
ガンマ補正されたデータを生成するために、サンプル・データ中の前記各々の第１データ値にガンマ補正を行い、
前記ガンマ補正されたデータに基づいて、複数の第２のデータ値を含む前記サブピクセルレンダリングデータを計算し、前記第２のデータ値の各々が前記ディスプレイ上の各色の各サブピクセル要素に対応することを特徴とする方法。
【請求項１６】
前記サブピクセルレンダリングデータの計算は、前記第１のデータ値と異なる第２のデータ値のための計算を含んでいることを特徴とする請求項１５記載の方法。
【請求項１７】
前記サブピクセルレンダリングデータの計算は、
複数の係数項を含むフィルターカーネルを参照し、
前記各々の第１のデータ値に対する前記ガンマ補正されたデータを、前記フィルターカーネルにおける前記係数項のうちの対応する各々のものと乗算し、
前記各々の第２のデータ値を生成するために、各乗算された係数項を加算することを含むことを特徴とする、請求項１５記載の方法。
【請求項１８】
前記ガンマ補正は、輝度に対する人間の目の応答関数を補償するものであることを特徴とする、請求項１５記載の方法。
【請求項１９】
前記サブピクセルレンダリングデータに対して事後ガンマ補正を行い、前記事後ガンマ補正により、ディスプレイが備えているガンマ関数を補償し、
前記事後ガンマ補正されたサブピクセルレンダリングデータを前記ディスプレイに出力することを更に含むことを特徴とする、請求項１５記載の方法。
【請求項２０】
前記ガンマ補正を、ｇ−１（ｘ）＝ｘγとして実行することを特徴とする、請求項１５記載の方法。
【請求項２１】
各色の前記各データ点に対するサンプル・データにおける暗示サンプル領域を決定し、
各色の各サブピクセル要素に対応する複数のリサンプル領域を決定することをさらに含み、前記サブピクセルレンダリングデータの計算は、フィルターカーネルにおける複数の係数項を使用することを含み、前記係数項の各々が、前記複数のリサンプル領域における所与の１つに対して、前記暗示サンプル領域の各々と重なる前記複数のリサンプル領域の所与の１つの重なり割合百分率を表わすことを特徴とする、請求項１５記載の方法。
【請求項２２】
３色サブピクセル要素を使用して、サブピクセルレンダリングデータを表示できるディスプレイのための画像のサンプル・データを変換する方法であって、
各々が画像における各色の各データ点を表わす複数の第１のデータ値を含むサンプル・データを受け取り、
前記サンプル・データにおける各々の前記第１のデータ値に対するガンマ調整されたデータ値を生成し、
前記ガンマ調整されたデータ値と前記第１のデータ値の乗算に基づいて、複数の第２のデータ値を含む前記サブピクセルレンダリングデータを計算し、前記第２のデータ値の各々が前記ディスプレイ上の各色の各サブピクセル要素に対応することを特徴とする方法。
【請求項２３】
前記サブピクセルレンダリングデータの計算は、前記第１のデータ値と異なる第２のデータ値のための計算を含むことを特徴とする、請求項２２記載の方法。
【請求項２４】
前記ガンマ調整されたデータ値の生成は、
前記サンプル・データに基づいて前記各々の第１のデータ値に対する局所平均を計算し、
前記局所平均のガンマ調整を行うことを含むことを特徴とする、請求項２２記載の方法。
【請求項２５】
前記ガンマ調整をｇ−１（ｘ）＝ｘγ−１の関数として行うことを特徴とする、請求項２４記載の方法。
【請求項２６】
前記第１のデータ値は、縁項および中央項を含み、前記局所平均の計算は、
前記縁項の各々に対し前記中央項に関連付けて第１の平均を計算し、
前記第１の平均に基づいて前記中央項の第２の平均を計算することを含むことを特徴とする、請求項２４記載の方法。
【請求項２７】
前記第１のデータ値は、縁項および中央項を含み、前記局所平均の計算は、前記縁項の各々に対し前記中央項に関連付けて平均を計算し、前記ガンマ調整されたデータ値の生成は、
前記縁項のガンマ調整された平均を使用して、前記中央項のガンマ調整された局所平均を生成することを特徴とする、請求項２４記載の方法。
【請求項２８】
前記サブピクセルレンダリングデータの計算は、
複数の係数項を含むフィルターカーネルを参照し、
前記各々の第１のデータ値に対する前記ガンマ調整されたデータに、前記フィルターカーネルにおける前記係数項のうちの各々対応する１つ及び前記各々の第１のデータ値を乗算し、
前記各々の第２のデータ値を生成するために、各乗算項を加算することを特徴とする、請求項２２記載の方法。
【請求項２９】
前記ガンマ調整されたデータ値と前記第１のデータ値の乗算は、輝度に対する人間の目の応答関数を補償するものであることを特徴とする、請求項２２記載の方法。
【請求項３０】
前記サブピクセルレンダリングデータの事後ガンマ補正を行い、前記事後ガンマ補正により前記ディスプレイが備えるガンマ関数を補償し、
前記事後ガンマ補正されたサブピクセルレンダリングデータを前記ディスプレイに出力することをさらに有することを特徴とする請求項２２記載の方法。
【請求項３１】
各色の前記各データ点に対する前記サンプル・データにおける暗示サンプル領域を決定し、
各色の各サブピクセル要素に対応するリサンプル領域を決定することを更に含み、
前記サブピクセルレンダリングデータの計算は、フィルターカーネルにおける複数の係数項を使用することを含み、前記係数項の各々が、前記複数のリサンプル領域における所与の１つに対して、前記暗示サンプル領域の各々と重なる前記リサンプル領域の所与の１つの重なり割合百分率を表すことを特徴とする、請求項２２記載の方法。
【請求項３２】
前記第１のデータ値は、隅項、前記隅項以外の縁項および中央項を含み、前記サブピクセルレンダリングデータの計算は、
前記隅項の各々に対する重なり割合百分率によって指示されたものに比して、前記第１のデータ値のうちの、対応する１つのものの使用をより少なくし、
前記中央項に対する重なり割合百分率によって指示されたものに比して、前記第１のデータ値のうちの、対応する１つの使用をより多くすることを含むことを特徴とする、請求項３１記載の方法。
【請求項３３】
前記第１のデータ値が隅項、前記隅項以外の縁項および中央項を含み、前記サブピクセルレンダリングデータの計算は、
前記隅項の効果を弱めること、
前記弱めることのバランスをとるために、前記中央項の効果を強めることを含むことを特徴とする、請求項２２記載の方法。
【請求項３４】
前記乗算は、前記縁項および前記中央項に対して、第１の色において前記第１のデータ値を使用し、前記弱めることおよび強めることは、前記隅項および前記中央項に対して、第２の色における前記第１のデータ値を使用することを特徴とする、請求項３３記載の方法。
【請求項３５】
前記ガンマ調整されたデータ値の生成は、
前記サンプル・データに基づいて前記各々の第１のデータ値に対するオメガ調整された局所平均を計算し、
前記オメガ調整された局所平均でガンマ調整を行うことを特徴とする、請求項２２記載の方法。
【請求項３６】
前記オメガ調整された局所平均の計算は、
前記サンプル・データにおける前記各々の第１データにオメガ調整を行い、
前記オメガ調整されたサンプル・データに基づいて前記各々の第１のデータ値に対する局所平均を決定することを含むことを特徴とする、請求項３５記載の方法。
【請求項３７】
前記オメガ調整は、輝度に対する人間の目における応答関数の近似であることを特徴とする、請求項３６記載の方法。
【請求項３８】
前記ガンマ調整は、ｇ−１ｗ−１（ｘ）＝（ｗ−１（ｘ））γ−１として実行され、ｗ−１（ｘ）はｗ（ｘ）＝ｘ１／ｗの逆関数であることを特徴とする、請求項３５記載の方法。
【請求項３９】
前記第１のデータ値は縁項および中央項を含み、前記オメガ調整された局所平均の計算は、
前記縁項の各々に対し前記中央項に関連付けて第１のオメガ調整された平均を計算し、
前記第１のオメガ調整された平均に基づいて前記中央項の第２のオメガ調整された平均を計算することを含むことを特徴とする、請求項３５記載の方法。
【請求項４０】
前記第１のデータ値は縁項および中央項を含み、前記オメガ調整された局所平均の計算は、前記縁項の各々に対し前記中央項に関連付けてオメガ調整された平均を計算することを含み、前記ガンマ調整されたデータ値の生成は、
前記縁項に対するガンマ調整されてオメガ調整された平均を使用して、前記中央項のガンマ調整された局所平均を生成することを含むことを特徴とする、請求項３５記載の方法。
【請求項４１】
前記ガンマ調整されたデータ値の生成は、
前記第１のデータ値のオメガ調整を行い、
前記画像の空間周波数が高くなるにつれて、前記オメガ調整および逆オメガ調整が、前記ガンマ調整されたデータ値に大きく影響するように、前記ガンマ調整されたデータ値を生成すべく、前記逆オメガ調整を行うことを含むことを特徴とする、請求項２２記載の方法。
【請求項４２】
色サブピクセルをそれぞれ含む画素を有するディスプレイ用データの処理システムであって、
第１のサブピクセルフォーマットの画素データを受け取る受け取りモジュール、
前記画素（ピクセル）データからサブピクセルレンダリングデータへの変換処理を実行し、前記変換処理にガンマ調整を加えるための処理モジュールを有し、前記変換処理は、前記第１のサブピクセルフォーマットと異なる第２のサブピクセルフォーマットのためのサブピクセルレンダリングデータを生成するものであることを特徴とするシステム。
【請求項４３】
前記処理モジュールは、前記サブピクセルレンダリングデータの色バランスにおける直線性を提供するものである、請求項４２記載のシステム。
【請求項４４】
前記処理モジュールは、前記サブピクセルレンダリングデータに関係する輝度の非線形計算を提供するものであることを特徴とする、請求項４３記載のシステム。
【請求項４５】
前記処理モジュールは、ガンマ補正されたデータを生成するために、前記画素データのガンマ補正を行い、前記ガンマ補正されたデータを前記サブピクセルレンダリングデータに変換するものであることを特徴とする、請求項４２記載のシステム。
【請求項４６】
前記処理モジュールは、ｇ−１（ｘ）＝ｘγとしての関数を使用してガンマ補正を行うものであることを特徴とする、請求項４５記載のシステム。
【請求項４７】
前記処理モジュールは、すべての空間周波数に対する前記ガンマ調整用のガンマ値を選択されたレベルに維持し、前記選択されたレベルは、ある空間周波数で所望のコントラスト比に対応していることを特徴とする、請求項４２記載のシステム。
【請求項４８】
前記処理モジュールは、前記画素データに基づいて局所平均を計算するものであることを特徴とする、請求項４２記載のシステム。
【請求項４９】
前記処理モジュールが、ガンマ補正された局所平均を生成するために、前記局所平均のガンマ補正を行い、前記処理モジュールは、前記画素データを乗算した前記ガンマ補正された局所平均を、前記サブピクセルレンダリングデータに変換するものであることを特徴とする、請求項４８記載のシステム。
【請求項５０】
前記処理モジュールは、ｇ−１（ｘ）＝ｘγ−１としての関数を使用してガンマ補正を行うものであることを特徴とする、請求項４９記載のシステム。
【請求項５１】
前記ガンマ調整用のガンマ値は、空間周波数の増加につれて増加するように選択されることを特徴とする、請求項４２記載のシステム。
【請求項５２】
前記処理モジュールが、オメガ補正されたデータを生成するために、前記画素データのオメガ補正を行い、前記オメガ補正されたデータに基づいて、オメガ補正された局所平均を計算するものであることを特徴とする、請求項４２記載のシステム。
【請求項５３】
前記処理モジュールは、ｗ（ｘ）＝ｘ１／ｗの関数を使用してオメガ補正を行うものであることを特徴とする、請求項５２記載のシステム。
【請求項５４】
前記処理モジュールは、オメガ付きガンマ補正された局所平均を生成するために、前記オメガ補正された局所平均のガンマ補正を行い、前記画素データと乗算した前記オメガ付きガンマ補正された局所平均を、前記サブピクセルレンダリングデータに変換するものであることを特徴とする、請求項５２記載のシステム。
【請求項５５】
前記処理モジュールは、ｇ−１ｗ−１（ｘ）＝（ｘｗ）γ−１の関数を使用してガンマ補正を行うものであることを特徴とする、請求項５４記載のシステム。
【請求項５６】
コンピュータシステムであって、
第１のサブピクセルフォーマットと異なる第２のサブピクセルフォーマットの複数の画素を有するディスプレイと、
前記ディスプレイに接続されたコントローラとを有し、
前記コントローラは、前記画素データを処理し、前記画素データからサブピクセルレンダリングデータへの変換にガンマ調整を加え、前記変換により、前記第１のサブピクセルフォーマットと異なる前記第２のサブピクセルフォーマットのための前記サブピクセルレンダリングデータを生成し、前記ディスプレイ上に前記サブピクセルレンダリングデータを出力するものであることを特徴とする、コンピュータシステム。
【請求項５７】
ディスプレイ用のコントローラであって、
第１のサブピクセルフォーマットの画素データを受け取るための受け取りユニットと、
前記画素データからサブピクセルレンダリングデータへの変換にガンマ調整を加えるための処理ユニットを有し、前記変換は、前記第１のサブピクセルフォーマットと異なる前記第２のサブピクセルフォーマットのための前記サブピクセルレンダリングデータを生成するものであり、前記処理ユニットは、前記ディスプレイ上に前記サブピクセルレンダリングデータを出力するものであることを特徴とする、ディスプレイ用コントローラ。
【請求項５８】
命令を保存するコンピュータ可読媒体であって、
コンピュータシステムによって実行されると、色サブピクセルをそれぞれ含む画素を有するディスプレイ用データの処理方法をコンピュータシステムに実行させる前記方法は、
第１のサブピクセルフォーマットの画素データを受け取り、
前記画素データからサブピクセルレンダリングデータへの変換にガンマ調整を加え、前記変換は、前記第１のサブピクセルフォーマットと異なる前記第２のサブピクセルフォーマットのためのサブピクセルレンダリングデータを生成し、
前記サブピクセルレンダリングデータを出力する
ものであることを特徴とする、コンピュータ可読媒体。
【請求項５９】
命令を保存するコンピュータ可読媒体であって、
コンピュータシステムによって命令が実行されると、３色サブピクセル要素を使用してサブピクセルレンダリングデータを表示できるディスプレイ用画像のサンプル・データの変換方法をコンピュータシステムに実行させ前記変換方法は、
前記画像における各色の各データ点を表わす複数の各々の第１のデータ値を含むサンプル・データを受け取り、
ガンマ補正されたデータを生成するために、前記サンプル・データにおける前記各々の第１データ値のガンマ補正を行い、
前記ガンマ補正されたデータに基づいて、複数の第２のデータ値を含む前記サブピクセルレンダリングデータを計算し、前記第２のデータ値の各々は、前記ディスプレイ上の各色の各サブピクセル要素に対応するものであることを特徴とする、コンピュータ可読媒体。
【請求項６０】
命令を保存するコンピュータ可読媒体であって、コンピュータシステムによって命令が実行されると、３色サブピクセル要素を使用してサブピクセルレンダリングデータを表示できるディスプレイ用画像のサンプル・データの変換方法をコンピュータシステムに実行させ、前記方法は、
各々が画像における各色の各データ点を表わす複数の第１のデータ値を含むサンプル・データを受け取り、
前記サンプル・データにおける前記各々の第１のデータ値対するガンマ調整されたデータ値を生成し、
前記ガンマ調整されたデータと前記第１のデータ値の乗算に基づいて、複数の第２のデータ値を含む前記サブピクセルレンダリングデータを計算し、前記第２のデータ値の各々は、前記ディスプレイ上の各色の各サブピクセル要素に対応するものであることを特徴とする、コンピュータ可読媒体。
【請求項６１】
色サブピクセルをそれぞれ有する画素を含むディスプレイ用データの処理方法であって、
第１のサブピクセルフォーマットの画素データを受け取り、
前記画素データをサブピクセルレンダリングデータに変換し、前記変換は前記第１のサブピクセルフォーマットと異なる第２のサブピクセルフォーマットのためのサブピクセルレンダリングデータを生成し、
ある条件が存在すれば、前記サブピクセルレンダリングデータを補正し、
前記第２のサブピクセルフォーマットを実質的に有するディスプレイのレンダリングのために前記サブピクセルレンダリングデータを出力することを特徴とする方法。
【請求項６２】
前記サブピクセルレンダリングデータの補正は、ガンマ調整、一定の数に前記サブピクセルレンダリングデータの要素を設定、および前記サブピクセルレンダリングデータの数学関数処理の少なくとも１つを施すことをさらに含むことを特徴とする、請求項６１記載の方法。
【請求項６３】
前記条件は、白ドット中央、白ドット縁、黒ドット中央、黒ドット縁、白対角中央下、白対角中央上、白対角縁、黒対角中央下、黒対角中央上、黒対角縁、垂直黒肩、水平黒肩、垂直白線肩、水平白線肩、および中央白線の少なくとも１つを含むことを特徴とする、請求項６１記載の方法。
【請求項６４】
白は、第１のしきい値より大きいサブピクセル輝度を含むことを特徴とする、請求項記載６３の方法。
【請求項６５】
前記第１のしきい値は９０％であることを特徴とする、請求項６４記載の方法。
【請求項６６】
黒は、第２のしきい値より小さいサブピクセル輝度を含むことを特徴とする、請求項６３記載の方法。
【請求項６７】
前記第２のしきい値は１０％であることを特徴とする、請求項６６記載の方法。
【請求項６８】
前記条件は、前記画素データと前記サブピクセルレンダリングデータの少なくとも１つにおいて検出されることを特徴とする、請求項６１記載の方法。
【請求項６９】
前記画素データから前記サブピクセルレンダリングデータへの変換が、さらに色バランス・フィルタ処理を施すことを含むことを特徴とする、請求項６１記載の方法。
【請求項７０】
前記画素データと前記サブピクセルレンダリングデータの内の少なくとも１つは、ｍ×ｎマトリックスを含み、ｍとｎは１より大の整数であることを特徴とする、請求項６１記載の方法。
【請求項７１】
前記条件は色ごとにテストされることを特徴とする、請求項６１記載の方法。
【請求項７２】
前記サブピクセルレンダリングデータの出力は、さらにディスプレイに前記サブピクセルレンダリングデータを出力することを含むことを特徴とする、請求項６１記載の方法。
【請求項７３】
前記条件は色ごとのテストであることを特徴とする、請求項６１記載の方法。
【請求項７４】
青サブピクセルは、赤サブピクセルと緑サブピクセルの内の少なくとも１つに関する情報に基づいて補正されることを特徴とする、請求項６１記載の方法。
【請求項７５】
色サブピクセルをそれぞれ有する画素を含むディスプレイ用データの処理システムであって、
第１のサブピクセルフォーマットの画素データを受け取るための構成要素と、
前記画素データからサブピクセルレンダリングデータに変換するための構成要素で、前記変換は前記第１のサブピクセルフォーマットと異なる第２のサブピクセルフォーマットのための前記サブピクセルレンダリングデータの生成をさらに含み、
ある条件が存在すれば、前記サブピクセルレンダリングデータを補正するための構成要素と、
前記第２のサブピクセルフォーマットを実質的に有するディスプレイのレンダリングのために前記サブピクセルレンダリングデータを出力するための構成要素を含むことを特徴とするシステム。
【請求項７６】
前記サブピクセルレンダリングデータを補正するための前記構成要素は、ガンマ調整、一定の数に前記サブピクセルレンダリングデータの要素を設定、および、前記サブピクセルレンダリングデータの数学関数処理少なくとも１つをさらに施すように構成されていることを特徴とする、請求項７５記載のシステム。
【請求項７７】
前記条件は、白ドット中央、白ドット縁、黒ドット中央、黒ドット縁、白対角中央下、白対角中央上、白対角縁、黒対角中央下、黒対角中央上、黒対角縁、垂直黒肩、水平黒肩、垂直白線肩、水平白線肩、および中央白線の少なくとも１つを含むことを特徴とする、請求項７５記載のシステム。
【請求項７８】
白は、第１のしきい値より大きいサブピクセル輝度を含むことを特徴とする、請求項７７記載のシステム。
【請求項７９】
前記第１のしきい値は９０％であることを特徴とする、請求項７８記載のシステム。
【請求項８０】
黒は、第２のしきい値より小さいサブピクセル輝度を含むことを特徴とする、請求項７７記載のシステム。
【請求項８１】
前記第２のしきい値は１０％であることを特徴とする、請求項８０記載のシステム。
【請求項８２】
前記条件は前記画素データの中で検出されることを特徴とする、請求項７５記載のシステム。
【請求項８３】
前記画素データから前記サブピクセルレンダリングデータへの変換のための前記構成要素は、さらに色バランス・フィルタ処理を施すように構成されていることを特徴とする、請求項７５記載のシステム。
【請求項８４】
前記画素データと前記サブピクセルレンダリングデータの内の少なくとも１つは、ｍ×ｎマトリックスを含み、ｍとｎは１より大の整数であることを特徴とする、請求項７５記載のシステム。
【請求項８５】
前記条件は色ごとにテストされることを特徴とする、請求項７５記載のシステム。
【請求項８６】
前記サブピクセルレンダリングデータを出力するための前記構成要素は、さらにディスプレイに前記サブピクセルレンダリングデータを出力するように構成されていることを特徴とする、請求項７５記載のシステム。
【請求項８７】
前記条件は色ごとのテストであることを特徴とする、請求項７５記載のシステム。
【請求項８８】
青サブピクセルは、赤サブピクセルと緑サブピクセルの内の少なくとも１つに関する情報に基づいて補正されることを特徴とする、請求項７５記載のシステム。
【請求項８９】
色サブピクセルをそれぞれ有する画素を含むディスプレイ用データを処理するための命令のセットが保存されるコンピュータ可読媒体であって、実行されると、
第１のサブピクセルフォーマットの画素データを受け取り、
前記画素データをサブピクセルレンダリングデータに変換し、前記変換は前記第１のサブピクセルフォーマットと異なる第２のサブピクセルフォーマットのための前記サブピクセルレンダリングデータの生成をさらに含み、
ある条件が存在する場合には前記サブピクセルレンダリングデータを補正し、
前記第２のサブピクセルフォーマットを実質的に有するディスプレイのレンダリングのために前記サブピクセルレンダリングデータを出力することを実施することを特徴とする、コンピュータ可読媒体。
【請求項９０】
前記サブピクセルレンダリングデータの補正は、ガンマ調整、一定の数に前記サブピクセルレンダリングデータの要素を設定、および前記サブピクセルレンダリングデータの数学関数処理の少なくとも１つを施すことをさらに含むことを特徴とする、請求項８９記載のコンピュータ可読媒体。
【請求項９１】
前記条件は、白ドット中央、白ドット縁、黒ドット中央、黒ドット縁、白対角中央下、白対角中央上、白対角縁、黒対角中央下、黒対角中央上、黒対角縁、垂直黒肩、水平黒肩、垂直白線肩、水平白線肩、および中央白線の少なくとも１つを含むことを特徴とする、請求項８９のコンピュータ可読媒体。
【請求項９２】
白は、第１のしきい値より大きいサブピクセル輝度を含むことを特徴とする、請求項９１記載のコンピュータ可読媒体。
【請求項９３】
前記第１のしきい値は９０％であることを特徴とする、請求項９２記載のコンピュータ可読媒体。
【請求項９４】
黒は、第２のしきい値より小さいサブピクセル輝度を含むことを特徴とする、請求項９１記載のコンピュータ可読媒体。
【請求項９５】
前記第２のしきい値は１０％であることを特徴とする、請求項９４記載のコンピュータ可読媒体。
【請求項９６】
前記条件は、前記画素データと前記サブピクセルレンダリングデータの少なくとも１つにおいて検出されることを特徴とする、請求項８９記載のコンピュータ可読媒体。
【請求項９７】
前記画素データから前記サブピクセルレンダリングデータへの変換は、さらに色バランス・フィルタ処理を施すことを含むことを特徴とする、請求項８９記載のコンピュータ可読媒体。
【請求項９８】
前記画素データと前記サブピクセルレンダリングデータの内の少なくとも１つは、ｍ×ｎマトリックスを含み、ｍとｎは１より大の整数であることを特徴とする、請求項８９記載のコンピュータ可読媒体。
【請求項９９】
前記条件は色ごとにテストされることを特徴とする、請求項８９記載のコンピュータ可読媒体。
【請求項１００】
前記サブピクセルレンダリングデータを出力することは、ディスプレイに前記サブピクセルレンダリングデータを出力することをさらに含むことを特徴とする、請求項８９記載のコンピュータ可読媒体。
【請求項１０１】
前記条件は色ごとのテストであることを特徴とする、請求項８９記載のコンピュータ可読媒体。
【請求項１０２】
青サブピクセルは、赤サブピクセルと緑サブピクセルの内の少なくとも１つに関する情報に基づいて補正されることを特徴とする、請求項８９記載のコンピュータ可読媒体。
【請求項１０３】
色サブピクセルをそれぞれ有する画素を含むディスプレイ用データの処理方法であって、
第１のサブピクセルフォーマットの画素データを受け取り、
前記画素データをサブピクセルレンダリングデータに変換し、前記変換は前記第１のサブピクセルフォーマットと異なる第２のサブピクセルフォーマットのための前記サブピクセルレンダリングデータを生成し、黒水平線、黒垂直線、白水平線、白垂直線、黒縁および白縁内の少なくとも１つが、前記画素データにおいて検出されない場合には、前記画素データの前記サブピクセルレンダリングデータへの変換は第１の色バランス・フィルタ処理を施すことを含み、変換される前記画素データの第１の色サブピクセルの輝度と変換される前記画素データの第２の色サブピクセルの輝度とが等しくない場合には、前記画素データの前記サブピクセルレンダリングデータへの変換は、第２の色バランス・フィルタ処理を施すことを含み、
前記第２のサブピクセルフォーマットを実質的に含むディスプレイのレンダリングのために前記サブピクセルレンダリングデータを出力することを特徴とする、ディスプレイ用データの処理方法。
【請求項１０４】
前記サブピクセルレンダリングデータを出力することは、ディスプレイに前記サブピクセルレンダリングデータを出力することをさらに含むことを特徴とする、請求項１０３記載の方法。
【請求項１０５】
前記画素データと前記サブピクセルレンダリングデータの内の少なくとも１つは、ｍ×ｎマトリックスを含み、ｍとｎは１より大の整数であることを特徴とする、請求項１０３記載の方法。
【請求項１０６】
色サブピクセルをそれぞれ有する画素を含むディスプレイ用データの処理システムであって、
第１のサブピクセルフォーマットの画素データを受け取るための構成要素と、
前記画素データをサブピクセルレンダリングデータに変換するための構成要素で、前記変換は前記第１のサブピクセルフォーマットと異なる第２のサブピクセルフォーマットのための前記サブピクセルレンダリングデータを生成し、黒水平線、黒垂直線、白水平線、白垂直線、黒縁および白縁内の少なくとも１つが前記画素データにおいて検出されない場合、前記画素データの前記サブピクセルレンダリングデータへの変換は、第１の色バランス・フィルタ処理を施すことを含み、変換される前記画素データの第１の色サブピクセルの輝度と変換される前記画素データの第２の色サブピクセルの輝度とが等しくない場合には、前記画素データから前記サブピクセルレンダリングデータへの変換は、第２の色バランス・フィルタ処理を施すことを含み、
前記第２のフォーマットを実質的に含むディスプレイのレンダリングのために前記サブピクセルレンダリングデータを出力するためのコンポーネント
を含むことを特徴とするシステム。
【請求項１０７】
前記サブピクセルレンダリングデータを出力するための前記構成要素は、さらにディスプレイに前記サブピクセルレンダリングデータを出力するように構成されていることを特徴とする、請求項１０６記載のシステム。
【請求項１０８】
前記画素データと前記サブピクセルレンダリングデータの内の少なくとも１つは、ｍ×ｎマトリックスを含み、ｍとｎは１より大の整数であることを特徴とする、請求項１０６記載のシステム。
【請求項１０９】
色サブピクセルをそれぞれ有する画素を含むディスプレイ用データを処理するための命令のセットが保存されるコンピュータ可読媒体であって、前記命令のセットが実行されると、
第１のサブピクセルフォーマットの画素データを受け取り、
前記画素データを前記サブピクセルレンダリングデータに変換し、前記変換は前記第１のサブピクセルフォーマットと異なる第２のサブピクセルフォーマットのための前記サブピクセルレンダリングデータの生成をさらに含み、黒水平線、黒垂直線、白水平線、白垂直線、黒縁および白縁の内の少なくとも一つが前記画素データ中に検出されない場合、前記画素データの前記サブピクセルレンダリングデータへの変換は第１の色バランス・フィルタ処理を施すことを含み、変換される前記画素データの第１の色サブピクセルの輝度と変換される前記画素データの第２の色サブピクセルの輝度とが等しくない場合には、前記画素データの前記サブピクセルレンダリングデータへの変換は、第２の色バランス・フィルタ処理を施すことを含み、
前記第２のサブピクセルフォーマットを実質的に含むディスプレイのレンダリングのために前記サブピクセルレンダリングデータを出力する
工程を実行することを特徴とする、コンピュータ可読媒体。
【請求項１１０】
前記サブピクセルレンダリングデータの出力は、さらにディスプレイに前記サブピクセルレンダリングデータを出力することを含むことを特徴とする、請求項１０９記載のコンピュータ可読媒体。
【請求項１１１】
前記画素データと前記サブピクセルレンダリングデータの内の少なくとも１つは、ｍ×ｎマトリックスを含み、ｍとｎは１より大の整数であることを特徴とする、請求項１０９記載のコンピュータ可読媒体。